【手続補正書】
【提出日】平成28年6月16日(2016.6.16)
【手続補正１】
【補正対象書類名】特許請求の範囲
【補正対象項目名】全文
【補正方法】変更
【補正の内容】
【特許請求の範囲】
【請求項１】
ビデオ情報を符号化する方法であって、
拡張層と対応する基本層の間の差分から抽出された画素情報の差分ビデオ層と関連付けられる差分ビデオ情報を格納することと、
拡張層重みと基本層重みを決定することと、
前記差分ビデオ層と関連付けられる差分参照ビデオユニットを用いて前記差分ビデオ層と関連付けられる現在のビデオユニットの予測ユニットを生成することと、
ここにおいて、前記差分参照ビデオユニットは、前記拡張層重みによって重み付けられた前記拡張層における参照ビデオユニットと前記基本層重みによって重み付けられた前記基本層における参照ビデオユニットの間の差分として決定され、前記拡張層重みは、前記基本層重みとは異なる、
を備える方法。
【請求項２】
拡張層重みと基本層重みを前記決定することは、前記拡張層と前記基本層の間の時間相関関係または空間相関関係に基づき、
好ましくは、前記拡張層における前記参照ビデオユニットは、前記拡張層における時間参照ビデオユニットであり、および前記基本層における前記ビデオユニットは、前記基本層における時間参照ビデオユニットであり、
好ましくは、前記拡張層における前記参照ビデオユニットは前記拡張層における空間隣接ビデオユニットであり、および前記基本層における前記参照ビデオユニットは前記基本層における空間隣接ビデオユニットであり、
好ましくは、前記現在のビデオユニットに関する前記予測ユニットに基づいて前記現在のビデオユニットを再構成することをさらに備え、
好ましくは、前記現在のビデオユニットの前記予測ユニットは、前記差分ビデオ層における参照フレームに基づく画面間予測を用いて、生成される、請求項１に記載の方法。
【請求項３】
前記現在のビデオユニットの前記予測ユニットは、前記差分ビデオ層における空間隣接画素に基づく画面内予測を用いて生成され、
好ましくは、前記拡張層重みは前記基本層重みより大きく、および前記拡張層重みは２のべきであり、
好ましくは、前記現在のビデオユニットは、Ｗ１＊前記拡張層ビデオユニット−Ｗ０＊前記基本層ビデオユニット＋ラウンド値と予測され、ここにおいて、Ｗ１は前記拡張層重みであり、およびＷ０は前記基本層重みである、請求項１に記載の方法。
【請求項４】
前記ラウンド値は、ビットストリームにおいて信号伝達されるか、またはビットストリーム内の情報から少なくとも部分的に抽出され、
好ましくは、前記ラウンド値は、フレーム、スライス、最大符号化ユニット、ＬＣＵ、符号化ユニット、ＣＵ、ブロック、画素、およびサブ画素を備えるグループから選択されたシンタックスレベルにおいて符号化される、請求項３に記載の方法。
【請求項５】
前記拡張層重みと前記基本層重みは、フレーム、スライス、最大符号化ユニット、ＬＣＵ、符号化ユニット、ＣＵ、予測ユニット、ＰＵ、ブロック、画素、およびサブ画素を備えるグループから選択されたシンタックスレベルにおいて符号化され、および、前記拡張層重みと前記基本層重みは、ルマ成分のみ、クロマ成分のみ、およびルマおよびクロマ成分の任意の組合せを備えるグループから選択された信号成分に関して符号化され、
好ましくは、前記現在のビデオユニットは、フレーム、スライス、最大符号化ユニット、ＬＣＵ、符号化ユニット、ＣＵ、ブロック、画素、およびサブ画素を備えるグループから選択され、
好ましくは、前記基本層は再構成された基本層であり、
好ましくは、前記現在のビデオユニットをエンコードすることと、ビットストリームにおいて前記拡張層重みと前記基本層重みを信号伝達することをさらに備え、
好ましくは、前記現在のビデオユニットをデコードすることと、ビットストリームにおいて前記拡張層重みと前記基本層重みを受信するか、あるいはビットストリーム内の情報から前記拡張層重みと前記基本層重みを少なくとも部分的に抽出することをさらに備える、請求項１に記載の方法。
【請求項６】
その上に記憶された命令を有するコンピュータ可読記憶媒体であって、前記命令が実行される時、装置に、
拡張層と対応する基本層の間の差分から抽出された画素情報の差分ビデオ層と関連付けられる差分ビデオ情報を格納することと、
拡張層重みと基本層重みを決定することと、
前記差分ビデオ層と関連付けられる差分参照ビデオユニットを用いて前記差分ビデオ層と関連付けられる現在のビデオユニットの予測ユニットを生成することと、
ここにおいて、前記差分参照ビデオユニットは、前記拡張層重みによって重み付けられた前記拡張層における参照ビデオユニットと前記基本層重みによって重み付けられた前記基本層における参照ビデオユニットの間の差分として決定され、前記拡張層重みは、前記基本層重みとは異なる、
をさせる、
コンピュータ可読記憶媒体。
【請求項７】
ビデオ情報を符号化するように構成された装置であって、
前記装置は、
拡張層と対応する基本層の間の差分から抽出された画素情報の差分ビデオ層と関連付けられる差分ビデオ情報を格納するための手段と、
拡張層重みと基本層重みを決定するための手段と、
前記差分ビデオ層と関連付けられる差分参照ビデオユニットを用いて前記差分ビデオ層と関連付けられる現在のビデオユニットの予測ユニットを生成するための手段と、
ここにおいて、前記差分参照ビデオユニットは、前記拡張層重みによって重み付けられた前記拡張層における参照ビデオユニットと前記基本層重みによって重み付けられた前記基本層における参照ビデオユニットの間の差分として決定され、前記拡張層重みは、前記基本層重みとは異なる、
を備える、
装置。
【請求項８】
拡張層重みと基本層重みを前記決定することは、前記拡張層と前記基本層の間の時間相関関係または空間相関関係に基づき、
好ましくは、前記拡張層における前記参照ビデオユニットは、前記拡張層における時間参照ビデオユニットであり、および前記基本層における前記参照ビデオユニットは、前記基本層における時間参照ビデオユニットであり、
好ましくは、前記拡張層における前記参照ビデオユニットは前記拡張層における空間隣接ビデオユニットであり、および前記基本層における前記参照ビデオユニットは前記基本層における空間隣接ビデオユニットである、請求項７に記載の装置。
【請求項９】
前記生成する手段は、前記差分ビデオ層における参照フレームに基づく画面間予測を用いて前記現在のビデオユニットの前記予測ユニットを生成するようにさらに構成される、請求項７に記載の装置。
【請求項１０】
前記生成する手段は、前記差分ビデオ層における空間隣接画素に基づく画面内予測を用いて前記現在のビデオユニットの前記予測ユニットを生成するようにさらに構成される、請求項７に記載の装置。
【請求項１１】
前記拡張層重みは前記基本層重みより大きく、および前記拡張層重みは２のべきである、請求項７に記載の装置。
【請求項１２】
前記現在のビデオユニットは、Ｗ１＊前記拡張層ビデオユニット−Ｗ０＊前記基本層ビデオユニット＋ラウンド値と予測され、ここにおいて、Ｗ１は前記拡張層重みであり、およびＷ０は前記基本層重みである、請求項７に記載の装置。
【請求項１３】
前記ラウンド値は、ビットストリームにおいて信号伝達されるか、またはビットストリーム内の情報から少なくとも部分的に抽出され、好ましくは、前記ラウンド値は、フレーム、スライス、最大符号化ユニット、ＬＣＵ、符号化ユニット、ＣＵ、ブロック、画素、およびサブ画素を備えるグループから選択されたシンタックスレベルにおいて符号化される、請求項１２に記載の装置。
【請求項１４】
前記拡張層重みと前記基本層重みは、フレーム、スライス、最大符号化ユニット、ＬＣＵ、符号化ユニット、ＣＵ、予測ユニット、ＰＵ、ブロック、画素、およびサブ画素を備えるグループから選択されたシンタックスレベルにおいて符号化され、および、前記拡張層重みと前記基本層重みは、ルマ成分のみ、クロマ成分のみ、およびルマおよびクロマ成分の任意の組合せを備えるグループから選択された信号成分に関して符号化され、好ましくは、前記現在のビデオユニットは、フレーム、スライス、最大符号化ユニット、ＬＣＵ、符号化ユニット、ＣＵ、ブロック、画素、およびサブ画素を備えるグループから選択され、さらに好ましくは、前記基本層は再構成された基本層である、請求項７に記載の装置。
【請求項１５】
前記現在のビデオユニットをエンコードするように、およびビットストリームにおいて前記拡張層重みと前記基本層重みを信号伝達するように構成されたプロセッサをさらに備え、好ましくは、前記プロセッサは、前記現在のビデオユニットをデコードするように、およびビットストリームにおいて前記拡張層重みと前記基本層重みを受信するか、あるいはビットストリーム内の情報から前記拡張層重みと前記基本層重みを少なくとも部分的に抽出するようにさらに構成される、請求項７に記載の装置。